(57)【要約】【課題】器具の薄形化を図ると共に、固体発光素子の熱を効果的に放熱することが可能な照明器具を提供する。【解決手段】矩形状をなす器具本体１１と；器具本体の長手方向に沿って配設される点灯装置１２と；点灯装置の高さ方向の少なくとも一部分を収容する凹溝１３ａを長手方向に形成し、この凹溝の両側に略平行し、かつ逆方向に凹む一対の凹溝１３ｂ、１３ｂを形成した取付部１３と；取付部の一対の凹溝の長手方向に沿って配設される固体発光素子１４ａからなる発光部１４と；発光部を覆うように設けられる透光性のカバー部材１５と；を具備する照明器具１０を構成する。【選択図】        図１
2011249219.tif 000002
【特許請求の範囲】
【請求項１】
矩形状をなす器具本体と；
器具本体の長手方向に沿って配設される点灯装置と；
点灯装置の高さ方向の少なくとも一部分を収容する凹溝を長手方向に形成し、この凹溝の両側に略平行し、かつ逆方向に凹む一対の凹溝を形成した取付部と；
取付部の一対の凹溝の長手方向に沿って配設される固体発光素子からなる発光部と；
発光部を覆うように設けられる透光性のカバー部材と；
を具備していることを特徴とする照明器具。
【請求項２】
前記取付部およびカバー部材の両側部は、側面板により一体化されると共に、この側面板は一側部が器具本体に枢支され、他側部が固定具で着脱が可能になるように支持され、発光部を配設した取付部およびカバー部材が、器具本体に対して一側部を枢支した状態で開放されるようにしたことを特徴とする請求項１記載の照明器具。
【発明の詳細な説明】
【技術分野】
【０００１】
本発明の実施形態は、発光ダイオード等の固体発光素子を光源とする照明器具に関する。
【背景技術】
【０００２】
近年、フィラメント電球や蛍光ランプに代わって、寿命が長く、また消費電力の少ない固体発光素子である発光ダイオードを光源として採用した照明器具が商品化されている。これらの照明器具、特に店舗やオフィス等の天井に設置される直付け形のベースライト等においては、天井面からの突出寸法を少なくするために器具のさらなる小形化、特に薄形化が一層要求されている。同時に、従来にも増して大光量の器具が要望されている。
【先行技術文献】
【特許文献】
【０００３】
【特許文献１】特開２０００−１５６１１６号公報
【特許文献２】特開２００４−１７９０４８号公報
【発明の概要】
【発明が解決しようとする課題】
【０００４】
このため、この種の固体発光素子を用いた照明器具においては、小形、薄形化される光源に合わせて、器具の反射板や点灯装置を如何に構成し薄形化を図るかが課題となっている。特に、点灯装置は、大光量化により回路構成も複雑化し電子部品も多くなっていることから大形化しており、この大形化した点灯装置の器具本体への収容に際しては、蛍光ランプに用いられる安定器のように反射板の背面側に形成される空間部に収容しているのが一般的である。このため、反射板の背面側に点灯装置が突出し、器具全体が大きくなり薄形化を達成することが困難となっている。
【０００５】
一方、近年ますます大光量の器具が要求されていることから、高出力の発光ダイオードを多数実装する必要があり、器具の薄形化を達成しつつ、これら多数の固体発光素子から発生する熱を、如何に効果的に放熱するかが重要な課題になっている。
【０００６】
本発明は、上記課題に鑑みてなされたもので、器具の薄形化を図ると共に、固体発光素子の熱を効果的に放熱することが可能な照明器具を提供しようとするものである。
【課題を解決するための手段】
【０００７】
本発明の実施形態における照明器具の発明は、矩形状をなす器具本体と；器具本体の長手方向に沿って配設される点灯装置と；点灯装置の高さ方向の少なくとも一部分を収容する凹溝を長手方向に形成し、この凹溝の両側に略平行し、かつ逆方向に凹む一対の凹溝を形成した取付部と；取付部の一対の凹溝の長手方向に沿って配設される固体発光素子からなる発光部と；発光部を覆うように設けられる透光性のカバー部材と；を具備していることを特徴とする。
【発明の効果】
【０００８】
本実施形態によれば、器具の薄形化を図ると共に、固体発光素子の熱を効果的に放熱することが可能となる。
【図面の簡単な説明】
【０００９】
【図１】第１の実施形態に係る照明器具を、端板を外した状態で示す斜視図。
【図２】同じく照明器具を示し、（ａ）は天井へ設置した状態を下方から見た斜視図、（ｂ）は背面側から見た斜視図。
【図３】同じく照明器具を、カバー部材を外し、ルーバーの一部を切り欠いて示す正面図。
【図４】同じく照明器具を分解し、器具本体、光源体および側面板の一部を切り欠いて示す斜視図。
【図５】同じく照明器具を天井に設置する状態を示し、（ａ）は設置状態を図３のａ−ａ線に沿って切断した断面図、（ｂ）は光源体を器具本体に組み込む状態を示す断面図。
【図６】同じく照明器具を示し、（ａ）は図２（ｂ）の矢印ａ方向から見た一部の側面図、（ｂ）は本（ａ）図のｂ−ｂ線に沿う断面図、（ｃ）は本（ａ）図のｃ−ｃ線に沿う断面図。
【図７】同じく照明器具のルーバーを示す斜視図。
【図８】同じく照明器具から異物を排出する状態を示す正面図。
【図９】同じく照明器具の第１の変形例を示し、（ａ）は天井へ設置した状態を下方から見た斜視図、（ｂ）は背面側から見た斜視図。
【図１０】同じく照明器具の第１の変形例を示し、照明器具を天井に設置した状態を示す図５（ａ）に相当する断面図。
【発明を実施するための形態】
【００１０】
以下、照明器具の実施形態につき図に従い説明する。
【第１の実施形態】
【００１１】
本実施形態の照明器具１０は、直付け形の薄型のベースライトを構成するもので、矩形状をなす器具本体１１、器具本体の長手方向に沿って配設される点灯装置１２、点灯装置の高さ方向の少なくとも一部分を収容する凹溝１３ａを長手方向に形成し、この凹溝の両側に略平行し、かつ逆方向に凹む一対の凹溝１３ｂ、１３ｂを形成した取付部１３、取付部の一対の凹溝の長手方向に沿って配設される固体発光素子１４ａからなる発光部１４、発光部を覆うように設けられる透光性のカバー部材１５で構成する。
【００１２】
器具本体１１は、薄板からなる鋼板をプレス加工することによって構成され、横断面形状が浅い略Ｕ字形をなし、底面部１１ａ(器具を天井に設置した状態では上面部)を有すると共に両端部に開口部１１ｂを有する略矩形状の長尺状をなすケース体となるように構成する。底面部１１ａには、図２に示すように、器具設置用のダルマ孔１１ａ１が形成され、器具の天井等への設置時に、その背面１１ａ２が設置面となる。
【００１３】
器具本体１１は、ケース体の長手方向に沿う一方の側板１１ｃの端縁部を鉤状に折曲して枢支部１１ｃ１を一体に形成する。また、長手方向に沿う他方の側板１１ｄの両端部分に、取付ネジＳ１を挿通するための固定孔１１ｄ１を１個ずつ、計２個形成し、固定孔の裏面側にそれぞれ対向して、取付ネジＳ１をねじ込むための固定金具１１ｄ２を固定する（図５（ａ））。また、開口部１１ｂを有する器具本体１１の短手方向の両端部は、底面部１１ａが延長されることにより閉止部１１ｂ１が一体に形成される（図６（ａ））。閉止部は後述する端板１７ａ、１７ｂと共に開口部１１ｂを塞ぐように構成される。
【００１４】
点灯装置１２は、内部に点灯回路を構成する多数の電子部品を収納した細長い直方体をなすケース１２ａで構成され、その長手方向が器具本体１１の長手方向の略中心線ａ−ａ（図３）上に沿い位置するようにして配設され、ケース１２ａの底面が複数のネジ若しくはスポット溶接等の手段によって器具本体１１の底面部１１ａの内面側に固定される。点灯装置１２のケース１２ａの縦断面形状は、山形形状になるように構成され、この山形形状の部分が、後述するように、照明器具を組み立てた際に、取付部１３の凹溝１３ａ内にオーバーラップして収容される（図５（ａ））。
【００１５】
取付部１３は、放熱性を高めるために熱伝導性の良好な金属、本実施形態では、器具本体１１と同様に、薄板からなる白色の塗装鋼板をプレス加工することにより構成される。取付部１３は、長手方向の略中心線ａ−ａ（図３）上に位置して凹溝１３ａを一体に形成し、この凹溝の両側に略平行し、かつ逆方向に凹む一対の凹溝１３ｂ、１３ｂを一体に形成し、短手方向の両端部が開放した矩形状の長尺状をなし、器具本体１１内に収容される大きさの取付部となるように構成する。
【００１６】
取付部１３の長手方向に形成された凹溝１３ａには、照明器具を組み立てた際に、後述する点灯装置１２のケース１２ａの高さ方向の少なくとも一部分、すなわち、先端の山形部分がオーバーラップして収容される（図５（ａ））。また、両側の各凹溝１３ｂ、１３ｂの内面には、外方に向かって開放するように傾斜する面からなる傾斜面１３ｂ１を形成する。また、取付部１３の長手方向の両側縁部を鉛直方向に折り曲げて支持片部１３ｃを一体に形成する。
【００１７】
発光部１４は、図５（ａ）に示すように、固体発光素子１４ａと固体発光素子を実装した回路基板１４ｂからなる。固体発光素子は、本実施形態では発光ダイオード（以下「ＬＥＤ」と称す）で構成し、複数個のＳＭＤタイプのＬＥＤ１４ａからなる。なお、ＬＥＤとしては、複数個のＬＥＤチップおよびこのＬＥＤチップにより励起される蛍光体により白色（昼白色、昼光色、電球色を含む）を発光するタイプの、いわゆるＣＯＢ形であってもよい。回路基板１４ｂは、熱伝導性の良好な金属、本実施形態では平板状の薄く細長い長方形をなすアルミニウムで構成され、その表面（図５（ａ）における下方の面）に電気絶縁層を介して銅箔からなる配線パターンが形成され、この配線パターン上に複数個の各ＬＥＤ１４ａが略直線状に一列に略等間隔に配設され実装された発光モジュールからなる発光部１４が構成される（図３）。この発光モジュールは、取付部１３に対して均等に分割して配設できるように、４枚の短冊状をなすモジュールに分割して、両側の各凹溝１３ｂ、１３ｂで計８枚のモジュールに分割して設けられる。
【００１８】
上記のように回路基板１４ｂにＬＥＤ１４ａを実装した発光部１４は、取付部１３に形成された両側の各凹溝１３ｂ、１３ｂの底部に、長手方向の略中心線ｂ−ｂ（図３）上に位置して電気絶縁を図り、かつ密着されるように配設される。また、必要に応じてシリコーン樹脂等で構成された電気絶縁シート等（図示せず）を介し凹溝１３ｂ、１３ｂの底部にネジ等の固定手段を用い密着して固定される。
【００１９】
そして、発光部１４を覆うように、取付部１３の凹溝１３ｂ、１３ｂに対向してカバー部材１５が設けられる。カバー部材は、グレアを防ぐためにフロストをかけた半透明の乳白色をなすアクリル樹脂からなり、矩形状の長尺状の薄い板状をなし、取付部１３と略同一の外郭形状・寸法をなすように構成する。
【００２０】
このカバー部材１５、発光部１４を設けた取付部１３は、次のようにして一体化され光源体Ａを構成する。すなわち、図４、図６に示すように、１６ａ、１６ｂは、取付部１３の長手方向の両側縁部に沿う長いサッシ状の側面板で、取付部の両側縁部に対応して一対２枚が設けられる。２枚の側面板１６ａ、１６ｂは、放熱性を高めるために熱伝導性の良好な金属、本実施形態では、器具本体１１や取付部１３と同様に、薄板からなる白色の塗装鋼板をプレス加工することにより構成される。一方の側面板１６ａは、その内面の断面形状を「コ」の字状に形成し、コ字の先端部分を内方に鉤状に折り曲げて回動用の軸部１６ａ１を一体に形成する。そして、この軸部を形成することにより外面に形成された段部１６ａ２に対し、後述する端板取り付け用のネジ孔からなる固定孔１６ａ３を形成する。この固定孔は、側面板１６ａの両端部にそれぞれ１個ずつ形成される。
【００２１】
他方の側面板１６ｂは、同様に、その内面の断面形状を「コ」の字状に形成し外面に段部１６ｂ２を形成する。そして、段部の底面部に後述する端板取り付け用のネジ孔からなる固定孔１６ｂ３を形成する。この固定孔は、側面板の両端部にそれぞれ１個ずつ形成される。また、段部１６ｂ２の側面部を鉛直方向に立ち上げた支持片部１６ｂ１を一体に形成する。この支持片部の両端部には、器具本体１１の他方の側板１１ｄに形成された２個の固定孔１１ｄ１に対応する挿通孔１６ｄ１をそれぞれ形成する。
【００２２】
上記に構成された２枚の側面板１６ａ、１６ｂのコの字の内面に対して、取付部１３の長手方向の両側縁部に形成した支持片部１３ｃ、１３ｃが挿入され、溶接等の固定手段によって取付部１３と側面板１６ａ、１６ｂが固定される。支持片部の鉛直方向の長さ寸法ｈ１（図６（ｃ））は、取付部１３の外表面との間に隙間Ｓ２が形成されるように構成する。この隙間Ｓ２に対し、薄い板状をなすカバー部材１５を差し込むようにして挿入する。隙間Ｓ２の寸法はカバー部材の板厚ｔ１と略等しい寸法（Ｓ２≧ｔ１）に形成する。これにより、カバー部材１５の短手方向の両側縁部が隙間Ｓ２内で挟持されカバー部材１５が自重では落下しない程度に保持される。同時に取付部１３とカバー部材１５との間に長手方向に空間ａ（図１（ａ））が形成される。このようにして、発光部１４、取付部１３、カバー部材１５からなる光源体Ａが構成される。
【００２３】
上記のように一体化された光源体Ａにおける空間ａの長手方向の両端部は開放されており、この開口部は同一形状の２個の端板１７ａ、１７ｂによって閉塞される。この端板は化粧枠を兼ねるもので、耐候性・耐熱性・電気絶縁性の良好な合成樹脂、本実施形態では、白色のＰＢＴ（ポリブチレンテレフタレート）で一体に形成されている。各端板１７ａ、１７ｂは、光源体Ａの長手方向の両端部のみを覆うように、その幅寸法を小となし、上面を開放し、内面の断面形状は、側面板１６ａ、１６ｂの「コ」の字の外面を覆うように、「コ」の字形に形成し、外面に段部１７ａ１、１７ｂ１が形成されるように樹脂によって一体に成形される。段部１７ａ１、１７ｂ１の底面部には、上述した両側の側面板１６ａ、１６ｂの両端部に形成された固定孔１６ａ３、１６ｂ３に対応して、端板固定用の貫通孔１７ａ３、１７ｂ３をそれぞれ形成する。
【００２４】
この端板１７ａ、１７ｂは、図６（ｂ）に示すように、取付部１３とカバー部材１５の両端部に対して、両側から覆うように、空間ａの両端部の開口部を塞ぐように差し込まれ、段部１７ａ１、１７ｂ１の底面部に形成された端板固定用の貫通孔１７ａ３、１７ｂ３から、両側の側面板１６ａ、１６ｂの両端部に形成されたネジ孔からなる固定孔１６ａ３、１６ｂ３に対して固定具、本実施形態では、タッピンネジ１８をねじ込むことによって固定される。この固定は、器具本体１１の背面１１ａ２側から鉛直線ｖ−ｖ方向に向けてドライバでねじ込むことにより行われる。また、器具が天井等に設置された状態では、天井との隙間Ｓ３は端板１７ａ、１７ｂの段部１７ａ１、１７ｂ１のわずかな隙間しかなく、ドライバ等の工具を差し込むことができないため、タッピンネジ１８を外すことができない構成となっている。
【００２５】
図５中１９は、ルーバーで、図７に示すように、耐候性・耐熱性・電気絶縁性の良好な合成樹脂、本実施形態では、細長い長方形の白色のＰＢＴで、枠部１９ａと遮光板１９ｂが一体に形成されている。遮光板は、発光部の複数個のＬＥＤ１４ａに対応して長手方向に所定の間隔を有して複数枚が設けられ、隣接する遮光板１９ｂの間に発光部１４のＬＥＤ１４ａが外方に臨むように光出射口１９ｃが形成される。光出射口の短手方向の両側部は、外方に向かい拡開する反射面１９ｄが一体に形成されている。上記に構成されたルーバー１９は、複数個が用意され、本実施形態では、取付部１３の各凹溝１３ｂ、１３ｂに沿い、直線状に並べられた発光部１４の多数のＬＥＤ１４ａを、光出射口１４ｃから外部に臨ませるように対向して配設される。また、ルーバー１９は、多数のＬＥＤ１４ａを均等に分割した状態で配置できるように、４枚、左右の凹溝１３ｂ、１３ｂで計８枚のルーバーを用いた。
【００２６】
各ルーバー１９は、取付部１３の凹溝１３ｂ、１３ｂの内底面に対し、ネジによって支持されると共に、カバー部材１５の内面側によって押えられて支持される。上記に設置されたルーバー１９の遮光角は、長手方向は遮光板１９ｂによって、約６０°の遮光角度に規制され、長手方向と直交する短手方向は傾斜する反射面１９ｄによって、遮光板１９ｂよりも広角、本実施形態では約３０°の遮光角度に配光制御され、発光部１４から放射される光が、主として長手方向と直交する短手方向に向けて放射するような配光特性をもたせている。なお、本実施形態において、取付部１３の凹溝１３ｂは、傾斜面１３ｂ１をなすように構成したので、ルーバー１９を取付部１３に対して設けることなく構成しても、換言すれば、取付部１３に反射機能をもたせることにより、ルーバーなしの、例えば、図１０に示すようなルーバーなしの照明器具を構成するようにしてもよい。なお、図中Ｃは、点灯装置１２の出力端子と発光部１４の入力端子を接続するコネクタである。
【００２７】
上記により発光部１４、ルーバー１９、取付部１３、カバー部材１５からなる光源体Ａは、器具本体１１に取り付けられて直付け形の薄形のベースライトからなる照明器具１０が構成される。すなわち、図５（ｂ）に示すように、器具本体１１のケース体の下方の開放部に対して、光源部Ａの発光部１４を外側に位置させ、かつ光源体の長手方向を器具本体１１の長手方向に合わせて位置させる。さらに、光源体Ａを縦方向に位置させ、一方の側面板１６ａの鉤部からなる軸部１６ａ１を器具本体１１の一方の側板１１ｃの枢支部１１ｃ１に嵌め込む。これにより、光源体Ａが軸部１６ａ１を中心にして約９０°の角度範囲にわたって矢印の方向に回動させることができ、光源体Ａの他方の側面板１６ｂを器具本体１１の他方の側板１１ｄに当接させる。当接させた状態で、固定孔１１ｄ１、挿通孔１６ｄ１を合致させ、取付ネジＳ１を押し込み固定金具１１ｄ２にねじ込んで固定する（図５（ａ））。この状態で、器具本体１１の底面部１１ａの内面側に固定された点灯装置１２のケース１２ａの高さ方向の少なくとも一部分、すなわち、先端の山形部分がオーバーラップして取付部１３の凹溝１３ａ内に収容される。この際、点灯装置１２の先端部分が取付部１３に当たったり接触したりすることがない。また、光源体Ａを器具本体１１に対して組み込むことによって、図６（ａ）に示すように、器具本体１１の両端部に延長して形成された閉止部１１ｂ１が、両端の端板１７ａ、１７ｂの開放された上面にそれぞれ当接して器具本体１１両端部の開口部１１ｂが塞がれる。
【００２８】
これにより、光源体Ａと器具本体１１が一体化され、直付け形の薄形のベースライトからなる照明器具１０が構成される。本実施形態における照明器具１０の長さ寸法Ｌは約９００ｍｍ、幅寸法Ｗは約１５０ｍｍ、高さ寸法Ｈは約４０ｍｍである。
【００２９】
次に上記に構成された照明器具１０を天井Ｘに設置する手順について説明する。まず、器具本体１１の底面部１１ａの背面１１ａ２を天井Ｘに押付けて支持する（図５（ｂ））。この状態で、ケース体の底面部１１ａに設けられたダルマ孔等からなる設置孔１１ａ１に木ネジを差し込み、天井Ｘにねじ込んで固定する。この状態で商用電源に接続されたＦケーブルと点灯装置１２の入力端子を接続する配線を行う。
【００３０】
配線が終了した段階で、天井Ｘに設置された器具本体１１に対して、光源体Ａを上述のように、縦方向に位置させて、一方の側面板１６ａの軸部１６ａ１を器具本体１１の枢支部１１ｃ１に嵌め込む。この状態、すなわち、光源体Ａが下方に開き、器具本体１１の下面が開放された状態で、点灯装置１２の出力端子と発光部１４の入力端子をコネクタＣによって接続する配線を行う。
【００３１】
次に、光源体Ａを、器具本体１１の下面を塞ぐようにして軸部１６ａ１を中心に図中矢印方向に回動させ、光源体Ａの他方の側面板１６ｂを器具本体１１の側板１１ｄに当接させる。当接させた状態で、固定孔１１ｄ１、挿通孔１６ｄ１に取付ネジＳ１を押し込み固定金具１１ｄ２にねじ込んで固定する(図５（ａ）)。これにより、光源体Ａが器具本体１１に組み込まれて一体化され、直付け形の薄形のベースライトからなる照明器具１０が天井面Ｘに設置される。このとき取付ネジＳ１およびタッピンネジ１８は、天井と光源体Ａの側面板１６ａ、１６ｂとの間に形成される狭い隙間Ｓ３に収容されて隠れることから、器具設置後の外観を良好にすることができる。
【００３２】
上記に設置された照明器具１０を点灯すると、発光部１４の各ＬＥＤ１４ａから光が放射され、放射された光はルーバー１９によって主として長手方向と直交する短手方向に向けて放射され目的とする所定の照明を行う。また、各ＬＥＤ１４ａから発生する熱は、器具本体１１内に放熱され、鋼板からなり、かつ凹溝１３ａ、１３ｂ、１３ｂによって表面積が広くなった取付部１３の背面側から、同じく鋼板からなる器具本体１１内に放射され外部に放熱される。同時に、取付部１３から左右両側の２枚の鋼板からなる側面板１６ａ、１６ｂにも伝達され外部に放熱される。また、点灯装置１２の電子部品から発生する熱は、ケース体１２ａから器具本体１１内に放熱され、器具本体から外部に放熱される。この際、発光部１４から発生する熱の経路と、点灯装置１２の電子部品から発生する熱の経路が別になって分離されるので、お互いの熱が干渉し難くなる。すなわち、発光部１４と点灯装置１２とが、器具本体１１の短手方向にずれて配置されており、さらに、発光部１４が点灯装置１２の下端位置よりも上方にあるため、発光部１４で発生した熱が点灯装置１２に影響を与え難い。
【００３３】
また、光源体Ａを外す場合には、図５（ａ）の状態から、上記とは逆に取付ネジＳ１を外し、矢印とは逆方向に回動させて器具本体１１の下面を開放し、点灯装置１２と発光部１４を接続していたコネクタＣを外して電気接続を遮断する（図５（ｂ））。この状態で、光源体Ａの軸部１６ａ１を器具本体１１の枢支部１１ｃ１から外すことにより、光源体Ａを器具本体１１から容易に取り外すことができる。
【００３４】
取り外した状態でカバー部材１５と取付部１３との間の空間内に虫等の死骸が入っていた場合には、一方、例えば、端板１７ａのタッピンネジ１８を外し、端板１７ａを外すことによって取付部１３における空間ａ（図１）が開放される。これにより、図８に示すように、照明器具１０を縦にして振ることにより、取付部１３の空間内に入り込んだ虫の死骸等の異物ｚを外に排出することができる。この際、カバー部材１５の短手方向の両側縁部が隙間Ｓ２内で挟持され、カバー部材１５が自重では落下しない程度に保持され、端板１７ａを外した状態で取付部１３と共に一体的に構成されているので、カバー部材１５が落下することはない。
【００３５】
また、端板１７ａ、１７ｂを側面板１６ａ、１６ｂに固定するためのタッピンネジ１８は、端板の段部１７ａ１、１７ｂ１の底面部に設けられ、しかも、器具本体１１の背面１１ａ２側から鉛直線ｖ−ｖ方向に向けてドライバでねじ込むことにより行われる（図６（ｂ））。このため、器具本体１１が天井Ｘに設置された状態では、天井との間には段部による狭い隙間Ｓ３しか形成されないためドライバ等の工具を差し込むことができず、タッピンネジ１８を外すことができない。
【００３６】
これにより、虫等の死骸を排出する際には、必ず光源体Ａを器具本体１１から外した状態、すなわち、コネクタＣを外して電気接続を遮断した状態でしか行うことができず安全である。また、光源体Ａを外した状態でカバー部材１５は外れておらず、発光部１４を覆ったまま外すことができ、ＬＥＤ１４ａの充電部等を手で触ることができず安全である。また、虫等の死骸を排出する際の操作は、ドライバ１本でいづれかの一方の端板１７ａ、１７ｂを外せばよく、一般の使用者であっても容易に行うことができる。
【００３７】
以上、本実施形態において、発光部１４、ルーバー１９、取付部１３、カバー部材１５からなる光源体Ａは、図９、図１０に示すように、天井等に埋め込まれる器具本体に組み込み、埋め込み形の薄形のベースライト３０を構成するようにしてもよい。すなわち、１１は、天井Ｘに形成された埋め込み穴３１に設置される縦断面形状が中空の蒲鉾形をなす器具本体で、両側の側板１１ｃ、１１ｄの長手方向に沿う側面の両端部分に、係合孔２０、２０を２個ずつ計４個形成する。また、光源体Ａにおける一方の側面板１６ａには係合孔２０に対応して２個の係合片１６ａ４を回動できるように取り付け、回動操作によって係合片１６ａ４が側面板１６ａから突出するように構成する。また他方の側面板１６ｂには、係合孔２０に対応して２個の鉤形の係止片１６ｂ４を取り付ける。
【００３８】
上記に構成された器具本体１１および光源体Ａは、光源体の鉤形の係合片１６ａ４を器具本体の一方の側板１１ｄに形成された係合孔２０に挿入して係合し、光源体の回動可能な係合片１６ａ４を器具本体の他方の側板１１ｃに形成された係合孔２０に対し、回動させて突出させることにより挿入し係合させる。これにより、図１０に示すように、光源体Ａが器具本体１１に対して着脱が可能になるように組み込まれて一体化され、天井埋込形の薄形のベースライトからなる照明器具３０が構成される。
【００３９】
また、光源体Ａを外す場合には、図１０の状態から、一方の側板１６ａの係合片１６ａ４を、上記とは逆方向に回動させて側板１１ｃの係合孔２０との係合を解除し、光源体Ａを下方に開放してコネクタＣを外し、さらに、他方の側板１６ｂの鉤形の係止片１６ｂ４を係合孔２０から外すことによって光源体Ａを器具本体１１から容易に取り外すことができる。なお、本変形例において、取付部１３は反射板として構成した。すなわち、取付部１３の凹溝１３ｂに形成された傾斜面１３ｂ１に対し、例えば、白色塗装や鏡面加工等を施すことにより反射機能を持たせた反射板として構成し、ルーバーなしの照明器具として構成した。また、本変形例の器具本体１１は、器具本体の側板１１ｃ、１１ｄの外側面に設けられたステンレス製の板バネ等からなる取付具、若しくは吊りボルト等によって予め天井に設置される。なお、本変形例における他の構成、作用、天井等への設置手順は、上述した実施形態と同様であり詳細な説明は省略する。
【００４０】
本変形例においても、上述した実施形態と同様に、端板１７ａ、１７ｂは、光源体Ａを器具本体１１から外した状態でしか外すことができない。これにより、虫等の死骸を排出する際には、必ず光源体Ａを器具本体１１から外した状態、すなわち、コネクタＣを外して電気接続を遮断した状態でしか行うことができず安全である。また、光源体Ａを外した状態でカバー部材１５は外れておらず、発光部１４を覆ったまま作業を行うことができる。特に、本変形例によれば、上述した直付け形の光源体Ａを共通に用いることによって、直付け形の器具および埋め込み形の器具を簡単に構成することができる。
【００４１】
また、本実施形態において、照明器具は、天井等の被設置体に対して設置されるベースライト等に適用することが好適であるが、その他の住宅用や店舗、オフィスなど施設・業務用等の各種の照明器具を構成してもよい。固体発光素子は、発光ダイオードで構成したが、半導体レーザ、有機ＥＬなどの固体発光素子で構成されることが許容される。固体発光素子は、細長い長方形の回路基板に直線状をなすように実装したが、多数の固体発光素子をマトリックス状に配置したものや、千鳥状または放射状など、規則的に一定の順序をもって一部または全体が面状に配置され実装されたものであってもよい。また、カバー部材は、透明な樹脂でも、透明または半透明のガラスで構成してもよい。
【００４２】
以上、本実施形態によれば、点灯装置１２の高さ方向の少なくとも一部分を収容する凹溝１３ａを長手方向に形成し、この凹溝の両側に略平行し、かつ逆方向に凹む一対の凹溝１３ｂ、１３ｂを形成した取付部１３により、点灯装置１２は器具本体１１から突出する寸法を極力小となすようにして器具本体内に収容することができ、器具の薄形化を図ることが可能となる。また、同時に、凹溝１３ａ、１３ｂ、１３ｂによって取付部１３の表面積が増大し、ＬＥＤ１４ａの熱を効果的に放熱することが可能となる。また、これら凹溝によって取付部１３の強度が増し、取付部の変形を防ぎ、取付部に反射機能を持たせた場合には反射性能に影響を与えることがない。特に、変形のし易い長尺な取付部を用いるこの種薄形のベースライトに好適である。以上、本発明の好適な実施形態を説明したが、本発明は上述の実施形態に限定されることなく、本発明の要旨を逸脱しない範囲内において、種々の設計変更を行うことができる。
【符号の説明】
【００４３】
１０  照明器具
１１  器具本体
１２  点灯装置
１３  取付部
１３ａ  凹溝
１３ｂ  凹溝
１４  発光部
１５  カバー部材
１６ａ、１６ｂ  側面板
Ｓ１  固定具
【図１】
2011249219.tif 000003
【図２】
2011249219.tif 000004
【図３】
2011249219.tif 000005
【図４】
2011249219.tif 000006
【図５】
2011249219.tif 000007
【図６】
2011249219.tif 000008
【図７】
2011249219.tif 000009
【図８】
2011249219.tif 000010
【図９】
2011249219.tif 000011
【図１０】
2011249219.tif 000012